(57)【要約】      （修正有）【課題】土ぼこり等の粉塵の影響を抑制することができるようにした、作業機械の空調装置を提供する。【解決手段】作業機械のキャブ１内に設置された空調装置２について、その吸気口２ｂを、キャブ１の床３よりも天井４に近い位置に設置する。そして、その装置本体２aは床上に設置されるとともに、装置本体２aと吸気口２bとは空調用配管２cで接続されている。なお、キャブ１は、リヤウィンドウ用のワイパと、ワイパを駆動するワイパモータと、ワイパモータを保護するガード部材とを有しており、吸気口２bの形成される有開口部材１０が、キャブ１の後壁に対してガード部材と共にボルトで共締めされている。【選択図】図１
2010126079.tif 000002
【特許請求の範囲】
【請求項１】
作業機械のキャブ内に設置された空調装置であって、
その吸気口が、該キャブの床よりも天井に近い位置に設置されている
ことを特徴とする、作業機械の空調装置。
【請求項２】
その装置本体は該床上に設置されるとともに、該装置本体と該吸気口とは空調用配管で接続されている
ことを特徴とする、請求項１記載の作業機械の空調装置。
【請求項３】
該キャブは、リヤウィンドウ用のワイパと、該ワイパを駆動するワイパモータと、該ワイパモータを保護するガード部材とを有しており、
該吸気口の形成される有開口部材が、該キャブの後壁に対して該ガード部材と共にボルトで共締めされている
ことを特徴とする、請求項１又は２記載の作業機械の空調装置。
【請求項４】
該作業機械はダンプトラックである
ことを特徴とする、請求項１〜３の何れか１項に記載の作業機械の空調装置。
【発明の詳細な説明】
【技術分野】
【０００１】
本発明は、トンネル工事現場等の土ぼこりの多い環境下で使用される作業機械に好適な空調装置に関するものである。
【背景技術】
【０００２】
トンネル工事に適した作業機械として、図７に示すようなダンプトラック１００がある。
このダンプトラック１００には、オペレータ室としてキャブ１０１が設置されているとともに、図８に示すように、オペレータの居住性を高めるためにキャブ１０１内にエアコン（空調装置）１０２が設置されている。このエアコン１０２のエアコン本体（エアコンユニット）１０２ａの設置位置は、オペレータシート１０３後方のキャブフロア１０４上、且つ、乗降用ドアが開閉するキャブ１０１の乗降口１０５近傍であり、また、エアコン１０２の吸気口１０２ｂも、エアコン本体１０２ａに近接して、キャブフロア１０４近傍、且つ、乗降口１０５近傍の位置に設置されているのが一般的である。なお、図８中の符号１０２ｅはエアコン本体１０２ａからキャブ１０１内に空調風を吹き出すための空調風吹出用配管を示し、符号１０６は吸気口１０２ｂに取り付けられた防塵用のフィルタを示している。
【０００３】
ここで、例えば特許文献１に、吸気口１０２ｂがこのような位置に設置された技術が開示されている（特許文献１に記載された「空気取入口１０」が吸気口１０２ｂに相当すると考えられる）。
【特許文献１】特開２００１−２９５３１９号公報
【発明の開示】
【発明が解決しようとする課題】
【０００４】
ところで、トンネル内は土ぼこりが特に多い環境下にある。したがって、従来、図８に示すように、吸気口１０２ｂがキャブフロア１０４近傍、且つ、乗降口１０５近傍に位置していたために、オペレータの乗降による土ぼこりを吸い込みやすく、フィルタ１０６が早期に詰まってしまい、フィルタ１０６の清掃作業を頻繁に行なう必要が生じたり、また、フィルタ１０６を頻繁に交換する必要が生じたりするという課題があった。
【０００５】
本発明はこのような課題に鑑みて案出されたもので、土ぼこり等の粉塵の影響を抑制することができるようにした、作業機械の空調装置を提供することを目的とする。
【課題を解決するための手段】
【０００６】
上記目的を達成するために、本発明の作業機械の空調装置は、作業機械のキャブ内に設置された空調装置であって、その吸気口が、該キャブの床よりも天井に近い位置に設置されていることを特徴としている。
そして、その装置本体は該床上に設置されるとともに、該装置本体と該吸気口とは空調用配管で接続されていることを特徴としている。
【０００７】
なお、該キャブは、リヤウィンドウ用のワイパと、該ワイパを駆動するワイパモータと、該ワイパモータを保護するガード部材とを有しており、該吸気口の形成される有開口部材が、該キャブの後壁に対して該ガード部材と共にボルトで共締めされていることが好ましい。
また、該作業機械がダンプトラックであればより好ましい。
【発明の効果】
【０００８】
本発明の作業機械の空調装置によれば、その吸気口がキャブの床よりも天井に近い位置に設置されているので、オペレータの乗降の際にも土ぼこり等の粉塵が吸気口に吸い込まれ難く、土ぼこり等の粉塵の影響を抑制することができる。
また、吸気口の形成される有開口部材がワイパモータを保護するガード部材と共にキャブの後壁にボルトで共締めされていれば、吸気口を天井に近い位置に設置するための部品点数の増加を抑制することができる。
【０００９】
また、有開口部材が後壁に取り付けられていれば、有開口部材や吸気口と床上に設置された装置本体とを接続する空調用配管が、オペレータの前方視界を遮らないという利点がある。
【発明を実施するための最良の形態】
【００１０】
以下、図面により、本発明の実施の形態について説明する。
［一実施形態］
本発明の一実施形態について図１〜図６により説明する。図１〜図５は本発明の一実施形態に係る作業機械の空調装置を模式的に示す図であって、図１はその全体を機体左側から見た側面図、図２は図１の円Ｗで囲まれたエアコン本体周辺を機体左側から見た斜視図、図３は図１のＸ−Ｘ方向から見た吸気口と吸気口周辺の正面図、図４は図３のＺ−Ｚ方向から見た吸気口と吸気口周辺の断面図、図５は図１のＹ−Ｙ方向から見た吸気口とエアコン本体とをまとめて示す背面図である。図６は図５に示す本発明と対比するために、図８に示す従来技術の吸気口とエアコン本体とを示す背面図である。
【００１１】
＜構成＞
本発明は、図１に示すように、ダンプトラック（図７参照）のキャブ１内に設置されたエアコン（空調装置）２の吸気口２ｂが、上述の従来技術ではキャブフロア（床）３近傍の位置に設置されていたのに対し、ルーフパネル（天井）４近傍という高い位置に設置されているものである。
【００１２】
キャブフロア３の略中央には、オペレータシート５が設置されており、このオペレータシート５後方且つキャブフロア３上に、エアコン２のエアコン本体２ａが設置されている。
そして、図３に示すように、エアコン２の吸気口２ｂが、ルーフパネル４近傍である、リヤウィンドウ７用のワイパ（図示略）を駆動するワイパモータ（図示略）の横に設置されている。ワイパモータはワイパモータガード（ガード部材）８で覆われ保護されている。
【００１３】
具体的には、図４に示すように、箱状のボックス（有開口部材）１０の前面１０Ｆに吸気口２ｂとしての開口が形成されるとともに、ボックス１０の後面１０Ｂの右端部及び左端部にブラケット１１ａ，１１ｂが固着されている。そして、右端部のブラケット１１ａは、ワイパモータガード８に固着されたブラケット１２と共に、リヤパネル（後壁）９に溶接されたネジ付きボス１３にボルト１３ａ（図３参照）で共締めされている。また、左端部のブラケット１１ｂは、キャブ１のリヤパネル９に溶接されたネジ付きボス１４にボルト（図示略）で固定されている。
【００１４】
吸気口２ｂには、空気中に含まれる土ぼこり等の粉塵がエアコン本体２ａに侵入しないように、防塵用のフィルタ２０が取り付けられている。
また、ボックス１０の左側面１０Ｌに開口１０ｃが形成され、この開口１０ｃに吸気用の配管（空調用配管）２ｃの一端が取り付けられている。
【００１５】
吸気用配管２ｃは、キャブ１の壁面に沿って延在し、図５に示すように、エアコン本体２ａへと案内されている。エアコン本体２ａには開口２ｄが形成され、吸気用配管２ｃの他端がこの開口２ｄにダクト型の部材３０を介して接続されている。また、図１に示すように、エアコン本体２ａには空調風吹出用配管２ｅも接続され、エアコン本体２ａで空調された空調風が空調風吹出用配管２ｅを介してキャブ１内に吹き出されるようになっている。
なお、図５に示す本発明のエアコン２と対比するために、図８に示す従来技術のエアコン１０２の背面図を図６として示すので、参照されたい。
【００１６】
＜作用・効果＞
本発明の一実施形態にかかる作業機械の空調装置は上述のように構成されているので、以下のような作用・効果がある。
エアコン２の吸気口２ｂがキャブフロア３よりもルーフパネル４に近い位置に設置されているので、オペレータの乗降の際にも土ぼこり等の粉塵が吸気口２ｂに吸い込まれ難く、土ぼこり等の粉塵の影響を抑制することができる。そして、フィルタ２０の清掃及び交換のインターバルを長くすることができるという利点、エアコン本体２ａの寿命が長くなるという利点、エアコン２の効き低下を減少させることができるという利点がある。
【００１７】
また、吸気口２ｂの形成されるボックス１０がワイパモータガード８と共にリヤパネル９にボルト１３ａで共締めされているので、吸気口２ｂをルーフパネル４近傍に設置するための部品点数の増加を抑制することができる。
また、ボックス１０がリヤパネル９に取り付けられるので、ボックス１０や吸気用配管２ｃがオペレータの前方視界を遮らないという利点がある。
【００１８】
［その他］
以上、本発明の実施形態について説明したが、本発明は、上記実施形態に限定されず、本発明の趣旨を逸脱しない範囲で種々変更することが可能である。
例えば、上記実施形態では、箱状のボックス１０に吸気口２ｂが形成されたが、吸気口２ｂが形成される部材はボックス１０に限らず、開口が形成されるとともに内部が中空に形成され、且つ、開口を吸気口２ｂとして利用可能な部材（有開口部材）であれば、どのような形状の部材であっても良い。
【００１９】
また、上記実施形態では、吸気口２ｂは、リヤウィンドウ７用のワイパモータの横に設置されているが、キャブフロア３よりもルーフパネル４に近い位置に設置されていれば他の位置であっても良い。
また、上記実施形態では、ダンプトラックに適用された空調装置について説明したが、油圧ショベルやクレーン等のその他の作業機械に適用されても勿論良い。
【図面の簡単な説明】
【００２０】
【図１】本発明の一実施形態に係る作業機械の空調装置全体を機体のキャブ内左側から見た側面図である。
【図２】本発明の一実施形態に係る作業機械の空調装置のうちの、図１の円Ｗで囲まれたエアコン本体周辺を機体左側から見た斜視図である。
【図３】本発明の一実施形態に係る作業機械の空調装置の吸気口と吸気口周辺を示す、図１のＸ−Ｘ方向から見た正面図である。
【図４】本発明の一実施形態に係る作業機械の空調装置の吸気口と吸気口周辺を示す、図３のＺ−Ｚ方向から見た断面図である。
【図５】本発明の一実施形態に係る作業機械の空調装置の吸気口とエアコン本体とをまとめて示す、図１のＹ−Ｙ方向から見た背面図である。
【図６】従来技術に係る作業機械の空調装置の吸気口とエアコン本体とを示す背面図である。
【図７】一般的なダンプトラックを示す側面図である。
【図８】従来技術に係る作業機械の空調装置を示す斜視図である。
【符号の説明】
【００２１】
１  キャブ
２  エアコン（空調装置）
２ａ  エアコン本体（装置本体）
２ｂ  吸気口
２ｃ  吸気用配管（空調用配管）
２ｄ  開口
２ｅ  空調風吹出用配管
３  キャブフロア（床）
４  ルーフパネル（天井）
５  オペレータシート
７  リヤウィンドウ
８  ワイパモータガード（ガード部材）
９  リヤパネル（後壁）
１０  ボックス（有開口部材）
１０ｃ  開口
１０Ｂ  後面
１０Ｆ  前面
１０Ｌ  左側面
１１ａ，１１ｂ，１２  ブラケット
１３  ボス
１３ａ  ボルト
１４  ボス
２０  フィルタ
３０  ダクト型部材
１００  ダンプトラック（作業機械）
１０１  キャブ
１０２  エアコン
１０２ａ  エアコン本体
１０２ｂ  吸気口
１０２ｅ  空調風吹出用配管
１０３  オペレータシート
１０４  キャブフロア
１０５  乗降口
１０６  フィルタ
【図１】
2010126079.tif 000003
【図２】
2010126079.tif 000004
【図３】
2010126079.tif 000005
【図４】
2010126079.tif 000006
【図５】
2010126079.tif 000007
【図６】
2010126079.tif 000008
【図７】
2010126079.tif 000009
【図８】
2010126079.tif 000010